(57)【要約】      （修正有）【課題】光コネクタ内での光ファイバの形状を制御可能な光コネクタを提供すること。【解決手段】光コネクタ２は、光ファイバ５１の端末を保持するフェルール７と、フェルール７を収容するハウジング５と、フェルール７が接続先コネクタに対面するようにハウジング５を保持する筐体４，９と、光ファイバ５１に当接するとともに光ファイバ５１を湾曲させながらハウジング５から筐体４，９の外部へ向けて案内する湾曲面６２ａを有する引出方向規制部を有するホルダ８と、を備える。筐体は、ハウジング５を保持する本体部４と、光ファイバ５１をホルダ８との間に挟むように本体部４に組み付けられるカバー部９とを有し、カバー部９は、光ファイバ５１を引出方向規制部に向けて押し付けるように構成される。【選択図】図５
2020134880.tif 000002
【特許請求の範囲】
【請求項１】
光ファイバの端末を保持するフェルールと、
前記フェルールを収容するハウジングと、
前記フェルールが接続先コネクタに対面するように前記ハウジングを保持する筐体と、
前記光ファイバに当接するとともに前記光ファイバを湾曲させながら前記ハウジングから前記筐体の外部へ向けて案内する湾曲面を有する引出方向規制部を有するホルダと、
を備える光コネクタ。
【請求項２】
請求項１に記載の光コネクタにおいて、
前記筐体は、
前記ハウジングを保持する本体部と、前記光ファイバを前記ホルダとの間に挟むように前記本体部に組み付けられるカバー部と、を有し、
前記カバー部は、
前記光ファイバを前記引出方向規制部に向けて押し付けるように構成される、
光コネクタ。
【請求項３】
請求項１又は請求項２に記載の光コネクタにおいて、
前記ホルダは、
複数のホルダ構成片であって、当該複数の前記ホルダ構成片の各々が互いに独立した前記引出方向規制部を有する、複数のホルダ構成片を有する、
光コネクタ。
【発明の詳細な説明】
【技術分野】
【０００１】
本発明は、光コネクタに関する。
【背景技術】
【０００２】
従来から、回路基板に実装された基板側光コネクタとの接続のための、光ファイバに繋がる光コネクタが提案されている。通常、この種の光コネクタは、光ファイバの端末を保持するフェルールを基板側光コネクタに対面するように保持するとともに、フェルールから延びる光ファイバを、その光コネクタの筐体に設けられた引出口から引き出すように、その筐体内で取り回すようになっている。
【０００３】
光ファイバの取り回しに関し、光コネクタとは異なる例ではあるが、光ファイバを備えた従来の電気接続箱を例示する。この電気接続箱では、光源である発光素子（ＬＥＤ）から複数のランプ部に向けて光を伝送するため、発光素子と複数のランプ部との間が光ファイバで接続されている。光ファイバは、電気接続箱が許容するスペース内において、取り回されるようになっている（例えば、特許文献１を参照）。
【先行技術文献】
【特許文献】
【０００４】
【特許文献１】特開２００９−０６０７７１号公報
【発明の概要】
【発明が解決しようとする課題】
【０００５】
上述した従来の電気接続箱では、発光素子とランプとの間における光ファイバの形状に関しては特段の対策はなされていない。しかし、光ファイバを取り回し得るスペースの広さや、発光素子と複数のランプとの位置関係によっては、光ファイバが小さな曲率半径（例えば、９０°程度の角度）で屈曲する場合がある。光ファイバは、一般に、石英ガラスやフッ素ガラス等の硬質な導光材料から構成された導光体（コア）を有している。そのため、光ファイバが小さな曲率半径で屈曲されると、導光体が損傷する可能性がある。このような損傷は、当然に、光コネクタにおいても抑制されることが望ましい。
【０００６】
本発明は、上述した事情に鑑みてなされたものであり、その目的は、光コネクタ内での光ファイバの形状を制御可能な光コネクタ、を提供することにある。
【課題を解決するための手段】
【０００７】
前述した目的を達成するために、本発明に係る光コネクタは、下記［１］〜［３］を特徴としている。
［１］
光ファイバの端末を保持するフェルールと、
前記フェルールを収容するハウジングと、
前記フェルールが接続先コネクタに対面するように前記ハウジングを保持する筐体と、
前記光ファイバに当接するとともに前記光ファイバを湾曲させながら前記ハウジングから前記筐体の外部へ向けて案内する湾曲面を有する引出方向規制部を有するホルダと、
を備える光コネクタであること。
［２］
上記［１］に記載の光コネクタにおいて、
前記筐体は、
前記ハウジングを保持する本体部と、前記光ファイバを前記ホルダとの間に挟むように前記本体部に組み付けられるカバー部と、を有し、
前記カバー部は、
前記光ファイバを前記引出方向規制部に向けて押し付けるように構成される、
光コネクタであること。
［３］
上記［１］又は上記［２］に記載の光コネクタにおいて、
前記ホルダは、
複数のホルダ構成片であって、当該複数の前記ホルダ構成片の各々が互いに独立した前記引出方向規制部を有する、複数のホルダ構成片を有する、
光コネクタであること。
【０００８】
上記［１］の構成の光コネクタは、フェルールを保持するハウジングから延びる光ファイバを、ホルダが有する引出方向規制部の湾曲面に沿わせて湾曲させながら、筐体の外部に向けて案内するようになっている。そのため、筐体内での光ファイバの経路に特段の対策もなされてない場合に比べ、光ファイバの急な屈曲が抑制される。したがって、本構成の光コネクタは、光コネクタ内での光ファイバの形状を制御可能である。
【０００９】
上記［２］の構成の光コネクタによれば、光コネクタの筐体のカバー部が、光ファイバを引出方向規制部に向けて押し付けるようになっている。そのため、湾曲した光ファイバが元の直線的な形状に戻ろうとする弾性力により、光ファイバが引出方向規制部に当接した状態が維持される。その結果、光コネクタが実際に使用される際、振動等に起因して光ファイバが筐体内で移動して筐体内壁に繰り返し接触することによる異音や、そのような接触による光ファイバの損傷を抑制できる。また、筐体の内部から光ファイバを引き出す引出口と光ファイバとの間に隙間がある場合において、同様の理由から、光ファイバが引出口に繰り返し接触することを抑制できる。
【００１０】
上記［３］の構成の光コネクタによれば、ホルダが有する複数のホルダ構成片の各々が、互いに独立した引出方向規制部を有する。そのため、筐体から複数の方向に光ファイバを引き出す場合などにおいて、各々の引出方向に対応した複数のホルダ構成片を組み合わせてホルダを構成することにより、光コネクタ内の光ファイバの形状を更に適正に制御できる。
【発明の効果】
【００１１】
本発明によれば、光コネクタ内での光ファイバの形状を制御可能な光コネクタを提供できる。
【００１２】
以上、本発明について簡潔に説明した。更に、以下に説明される発明を実施するための形態を添付の図面を参照して通読することにより、本発明の詳細は更に明確化されるであろう。
【図面の簡単な説明】
【００１３】
【図１】図１は、本発明の実施形態に係る光コネクタを含む光コネクタの接続構造の斜視図である。
【図２】図２は、図１に示した光コネクタの接続構造の分解斜視図である。
【図３】図３は、図２に示したホルダを後方側から見た斜視図である。
【図４】図４は、図２に示したカバーを前方側から見た斜視図である。
【図５】図５（ａ）〜図５（ｃ）は、光ファイバを第２光コネクタに組み付ける際の手順について説明するための図である。
【図６】図６は、本発明の実施形態に変形例に係るハウジング及びホルダを後方側から見た斜視図である。
【図７】図７（ａ）〜図７（ｃ）は、図６に示す変形例において、光ファイバの引出方向が異なるバリエーションを説明するための図である。
【発明を実施するための形態】
【００１４】
＜実施形態＞
以下、図面を参照しながら、本発明の実施形態に係る光コネクタを含む光コネクタの接続構造について説明する。図１及び図２に示すように、本発明の実施形態に係る光コネクタの接続構造３は、回路基板（図示省略）に実装される第１光コネクタ１と、光ファイバ（図示省略）に繋がる第２光コネクタ２と、の接続構造である。ここで、第２光コネクタ２が、本発明の「光コネクタ」に対応する。図１に示すように、第１光コネクタ１と第２光コネクタ２とが嵌合されることで、第１光コネクタ１と、第２光コネクタ２に接続された光ファイバ５１とが光通信可能とされる。
【００１５】
以下、説明の便宜上、図２に示すように、「前後方向」、「幅方向」、「上下方向」、「上」、及び「下」を定義する。「前後方向」、「幅方向」及び「上下方向」は、互いに直交している。前後方向は、第１光コネクタ１と第２光コネクタ２との嵌合方向と一致している。第１光コネクタ１及び第２光コネクタ２の各々について、相手側光コネクタが嵌合する嵌合方向正面側を前側とし、その反対の嵌合方向背面側を後側とする。以下、先ず、第１光コネクタ１について説明する。
【００１６】
第１光コネクタ１は、図２に示すように、前後方向から見て略矩形状の樹脂製の第１筐体１１を有する。第１筐体１１は、樹脂製のレンズハウジング１２を支持している。レンズハウジング１２は、レンズ体、及び、光電変換モジュール（図示省略）を収容している。光電変換モジュールは、第１筐体１１に固定配置された回路基板に実装されている。レンズハウジング１２の前端部には、前方へ突出する筒状部１２ａが一体で設けられている。筒状部１２ａは、レンズ体の筒状部（図示省略）を同軸的に収容している。なお、図２では、説明の便宜上、導電体１０の図示を省略している。
【００１７】
第１筐体１１の前面には、第２光コネクタ２の後述するハウジング５が挿入されることになる矩形状の凹部１５を画成する嵌合凹部壁１６が設けられている。凹部１５は、前方に開口し且つ後方に向けて窪んでいる。凹部１５の内部にて、凹部１５の底面から、レンズハウジング１２の筒状部１２ａが露出し且つ前方に突出している。
【００１８】
図２に示すように、第１筐体１１の前面には、凹部１５の下側に隣接して、電気コネクタ部１７が設けられている。電気コネクタ部１７は、回路基板と電気的に接続されており、且つ、第２光コネクタ２の後述する第２筐体４の開口部２３に収容される導電体１０（図１参照）と図示しない電気接続体によって電気的に接続されている。これにより、導電体１０から、電気接続体及び回路基板を介して、光電変換モジュールに電力が供給され得るようになっている。
【００１９】
第１筐体１１の上面には、上方に突出するコネクタ部１８が設けられている。コネクタ部１８も、回路基板と電気的に接続されている。これにより、コネクタ部１８に接続された外部電子機器と回路基板との間で電気信号の送受信が可能となっている。
【００２０】
第１筐体１１の側面の複数箇所（本例では、４箇所）には、ロック部１９が設けられている。ロック部１９は、第１筐体１１及び第２筐体４の嵌合状態（第１、第２光コネクタ１，２の嵌合状態）において、第２筐体４の後述する被ロック部２８と係合することで、当該嵌合状態を維持可能となっている。以上、第１光コネクタ１について説明した。
【００２１】
次いで、第２光コネクタ２について説明する。第２光コネクタ２は、図２に示すように、第２筐体４と、第２筐体４に支持されるハウジング５と、ハウジング５に収容されるフェルール７と、ハウジング５の後端面に組み付けられるホルダ８と、第２筐体４の後端面２５に組み付けられるカバー９と、を備える。以下、第２光コネクタ２を構成する各部材について順に説明する。
【００２２】
先ず、第２筐体４について説明する。樹脂製の第２筐体４は、前後方向から見て略矩形状であって後方に開口する箱状の形状を有する。第２筐体４の前面は、第１筐体１１の前面と嵌合可能な形状を有する。第２筐体４の前壁の上側領域には、ハウジング５が挿入されることになる略矩形状の開口２１を画成する矩形状の係合縁部２２が形成されている。
【００２３】
第２筐体４の後面には、開口２１の下側に隣接して、前方に窪み、後方に開口し、且つ幅方向に延びる開口部２３が、幅方向に貫通するように凹設されている。開口部２３には、導電体１０（図１参照）が収容されることになる。開口部２３と開口２１との間の第２筐体４の前壁には、前後方向に貫通する挿通孔２４が設けられている。挿通孔２４には、導電体１０と電気コネクタ部１７とを接続する上述した図示しない電気接続体が挿通されることになる。
【００２４】
第２筐体４の略矩枠形状の後端面（平面）２５には、周方向の全域に亘って、図示しない止水剤を充填するための溝２６が形成されている。溝２６は開口部２３に連通している。後端面２５の四隅部には、それぞれ、前後方向に貫通するボルト孔２７が設けられている。第２筐体４の側面における複数のロック部１９に対応する複数箇所（本例では、４箇所）には、ロック部１９と係合する被ロック部２８が設けられている。第２筐体４の上面には、上下方向に貫通する挿通孔４ａ（本例では、４つ。引出口ともいう。）が形成されている。各挿通孔４ａには、後述するように、光ファイバ５１が挿通されることになる。
【００２５】
次いで、ハウジング５について説明する。図２に示すように、略直方体状の樹脂製のハウジング５には、前後方向に貫通する断面円形状の挿入孔３１が形成されている。挿入孔３１には、フェルール７が挿入されることになる。本例では、一対の挿入孔３１が、幅方向に並ぶように設けられている。ハウジング５の両側壁には、幅方向外側に突出する突起３７が一体で設けられている。
【００２６】
ハウジング５には、挿入孔３１に臨むように、片持ち梁状に前方に延びるランス３２が一体で形成されている（図５参照）。ランス３２は、フェルール７の後述する環状突起５２と係合することで、フェルール７の後方への抜けを防止する機能を有する。
【００２７】
次いで、フェルール７について説明する。図２に示すように、円筒状の形状を有する樹脂製のフェルール７には、後側から光ファイバ５１の端末が挿入され保持されている。フェルール７の外周面の前後方向中央部及び後端部にはそれぞれ、環状突起５２及び環状突起５３が一体で設けられている。環状突起５３は、ハウジング５の挿入孔３１内におけるフェルール７の傾きを抑制する機能を発揮する。
【００２８】
次いで、ホルダ８について説明する。図２及び図３に示すように、略平板状の樹脂製のホルダ８には、前後方向に貫通する挿通孔６１が形成されている。挿通孔６１には、光ファイバ５１が挿通されることになる。本例では、一対の挿通孔６１が、幅方向に並ぶように設けられている。
【００２９】
各挿通孔６１の上側縁を構成する箇所には、引出方向規制部６２が一体で形成されている。引出方向規制部６２の湾曲する後側面は、光ファイバ５１に当接するとともに光ファイバ５１を湾曲させながら第２筐体４の外部に向けて案内するための湾曲面６２ａとして機能する。本例では、引出方向規制部６２は、光ファイバ５１を上側に向けて案内するために、上側に向けて配置されている。
【００３０】
ホルダ８の前面の幅方向両端部には、一対の係止枠６４が前方へ突出するように一体で設けられている。一対の係止枠６４は、ホルダ８のハウジング５への組付状態にて、ハウジング５の一対の突起３７と係合することで、当該組付状態を維持可能となっている。
【００３１】
次いで、カバー９について説明する。図２及び図４に示すように、略矩形平板状の樹脂製のカバー９の四隅部には、それぞれ、前後方向に貫通するボルト孔７１が設けられている。カバー９の第２筐体４への組付状態にて、対応するボルト孔７１及び第２筐体４のボルト孔２７同士をそれぞれ、図示しないボルト及びナットで構成される締結機構により締結することで、カバー９の第２筐体４への組付状態が維持されるようになっている。
【００３２】
カバー９の前面には、図４に示すように、押え部７２が、前方へ突出するように一体で設けられている。本例では、カバー９の第２筐体４への組付状態において、押え部７２が、ホルダ８の引出方向規制部６２によって上側へ向けて案内されて上方に延びる光ファイバ５１を前方へ押圧可能とするために、押え部７２が、カバー９の前面における上方位置に設けられている。以上、第２光コネクタ２を構成する各部材について説明した。
【００３３】
次いで、第２光コネクタ２の組み付けについて説明する。第２光コネクタ２を組み付けるには、先ず、ハウジング５の後端面にホルダ８を組み付けて、ホルダ８の一対の係止枠６４をハウジング５の一対の突起３７に係合させる。これにより、ホルダ８のハウジング５への組み付けが完了する。次いで、ハウジング５を第２筐体４の開口２１に後方から挿入して、ハウジング５を第２筐体４に組み付ける。
【００３４】
次いで、図５（ａ）に示すように、光ファイバ５１の端末に接続されたフェルール７を、第２筐体４の挿通孔４ａに挿通させて第２筐体４の外部から下方に向けて内部に導く。次いで、図５（ｂ）に示すように、光ファイバ５１をホルダ８の引出方向規制部６２の湾曲面６２ａに当接させて湾曲させながら、フェルール７をホルダ８の挿通孔６１を介して、ハウジング５の挿入孔３１に挿入し、フェルール７の環状突起５２をハウジング５のランス３２に係止させる。これにより、フェルール７（即ち、光ファイバ５１）のハウジング５への組み付けが完了する。
【００３５】
次いで、導電体１０を第２筐体４の開口部２３に収容する。そして、第２筐体４の溝２６、並びに、導電体１０と開口部２３との間の隙間に、図示しない止水剤を充填した状態で、図５（ｂ）及び図５（ｃ）に示すように、第２筐体４の後端面２５に、第２筐体４の後側開口を塞ぐように、カバー９を組み付ける。カバー９の第２筐体４への組み付けは、上述したように、対応するカバー９のボルト孔７１及び第２筐体４のボルト孔２７同士を図示しないボルト及びナットで構成される締結機構により締結することで達成される。これにより、カバー９と第２筐体４との間の隙間、並びに、導電体１０と開口部２３との間の隙間が、図示しない止水剤により封止された状態となる。以上により、第２光コネクタ２の組み付けが完了する。
【００３６】
カバー９の第２筐体４への組み付けの際、カバー９の押え部７２が上方に延びる光ファイバ５１を前方に押し付ける。これにより、湾曲した光ファイバ５１が元の直線的な形状に戻ろうとする弾性力により、光ファイバ５１が引出方向規制部６２の湾曲面６２ａに当接した状態が維持される。
【００３７】
組み付けが完了した第２光コネクタ２と第１光コネクタ１とを嵌合するためには、第１光コネクタ１の第１筐体１１の前面と、第２光コネクタ２の第２筐体４の前面とを、対面させた状態で互いに近づける。そして、ハウジング５を第１筐体１１の凹部１５（図２参照）に挿入しながら、第１筐体１１と第２筐体４とを嵌合させて、第１筐体１１のロック部１９と第２筐体４の被ロック部２８とを係合させる。これにより、第１光コネクタ１と第２光コネクタ２との嵌合が完了し、図１に示す光コネクタの接続構造３が得られる。
【００３８】
第１光コネクタ１と第２光コネクタ２との嵌合完了状態（光コネクタの接続構造３）では、ハウジング５の挿入孔３１にレンズハウジング１２の筒状部１２ａ（図２参照）が内挿されて、フェルール７の前端面がレンズ体の筒状部の前端面と同軸的に対面接触している。これにより、光ファイバ５１の光軸と、レンズ体の光軸とが一致することで、光ファイバ５１とレンズ体との間で光信号が適正に伝達され得る。
【００３９】
以上、本発明の実施形態に係る第２光コネクタ２（光コネクタ）によれば、フェルール７を保持するハウジング５から延びる光ファイバ５１を、ホルダ８が有する引出方向規制部６２の湾曲面６２ａに沿わせて湾曲させながら、第２筐体４の外部に向けて案内するようになっている。そのため、第２筐体４内での光ファイバ５１の経路に特段の対策もなされてない場合に比べ、光ファイバ５１の急な屈曲が抑制される。したがって、本構成の第２光コネクタ２は、第２光コネクタ２内での光ファイバ５１の形状を制御可能である。
【００４０】
更に、本発明の実施形態に係る第２光コネクタ２（光コネクタ）によれば、カバー９の押え部７２が、光ファイバ５１を引出方向規制部６２に向けて前方に押し付けるようになっている。そのため、湾曲した光ファイバ５１が元の直線的な形状に戻ろうとする弾性力により、光ファイバ５１が引出方向規制部６２に当接した状態が維持される。その結果、第２光コネクタ２が実際に使用される際、振動等に起因して光ファイバ５１が第２筐体４内で移動して第２筐体４の内壁に繰り返し接触することによる異音や、そのような接触による光ファイバ５１の損傷を抑制できる。また、第２筐体４の内部から光ファイバ５１を引き出す挿通孔４ａと光ファイバ５１との間に隙間がある場合において、同様の理由から、光ファイバ５１が挿通孔４ａに繰り返し接触することを抑制できる。
【００４１】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４２】
例えば、ハウジング５及びホルダ８が、図６に示すように構成されていてもよい。即ち、この例では、ハウジング５において、同形の一対の略直方体状の分割ハウジング部５ａが、幅方向に所定間隔を空けて並ぶように、一体に連結されている。
【００４３】
分割ハウジング部５ａには、上記実施形態におけるハウジング５と同様、一対の挿入孔３１が形成されている。また、分割ハウジング部５ａには、幅方向両側壁にて幅方向外側に突出する一対の突起３７が一体で設けられると共に、上下壁にて上下方向外側に突出する一対の突起３７が一体で設けられている。
【００４４】
ホルダ８は、互いに分離された同形の一対のホルダ構成片８ａにより構成される。ホルダ構成片８ａには、上記実施形態におけるホルダ８と同様、引出方向規制部６２が形成されると共に、一対の係止枠６４が形成されている。
【００４５】
ホルダ構成片８ａの一対の係止枠６４と分割ハウジング部５ａの幅方向両側壁の一対の突起３７とを係合させることで、ホルダ構成片８ａは、引出方向規制部６２が上側を向いた状態、及び、引出方向規制部６２が下側を向いた状態の何れかの状態にて、分割ハウジング部５ａに対して組み付け可能である。同様に、ホルダ構成片８ａの一対の係止枠６４と分割ハウジング部５ａの上下壁の一対の突起３７とを係合させることで、ホルダ構成片８ａは、引出方向規制部６２が幅方向一側を向いた状態、及び、引出方向規制部６２が幅方向他側を向いた状態の何れかの状態にて、分割ハウジング部５ａに対して組み付け可能である。
【００４６】
この結果、図７（ａ）〜図７（ｃ）に示すように、一対のホルダ構成片８ａそれぞれが、互いに独立して、引出方向規制部６２が４つの方向のうち任意の一つの方向を向くように、一対のホルダ構成片８ａを、一対の分割ハウジング部５ａに組み付けることができる。このため、第２筐体４から複数の方向に光ファイバ５１を引き出す場合などにおいて、各々の引出方向に対応した複数のホルダ構成片８ａを組み合わせてホルダ８を構成することにより、第２光コネクタ２内の光ファイバ５１の形状を更に適正に制御できる。
【００４７】
また、上記実施形態では、ハウジング５の挿入孔３１にフェルール７が直接挿入されているが、ハウジング５をアウタハウジングとインナハウジングとで構成し、アウタハウジングの挿入孔にインナハウジングが挿入され、インナハウジングの挿入孔にフェルール７が挿入されるように構成されてもよい。
【００４８】
ここで、上述した本発明に係る光コネクタの実施形態の特徴をそれぞれ以下［１］〜［３］に簡潔に纏めて列記する。
［１］
光ファイバ（５１）の端末を保持するフェルール（７）と、
前記フェルール（７）を収容するハウジング（５）と、
前記フェルール（７）が接続先コネクタ（１）に対面するように前記ハウジング（５）を保持する筐体（４，９）と、
前記光ファイバ（５１）に当接するとともに前記光ファイバ（５１）を湾曲させながら前記ハウジング（５）から前記筐体（４，９）の外部へ向けて案内する湾曲面（６２ａ）を有する引出方向規制部（６２）を有するホルダ（８）と、
を備える光コネクタ（２）。
［２］
上記［１］に記載の光コネクタ（２）において、
前記筐体は、
前記ハウジング（５）を保持する本体部（４）と、前記光ファイバ（５１）を前記ホルダ（８）との間に挟むように前記本体部（４）に組み付けられるカバー部（９）と、を有し、
前記カバー部（９）は、
前記光ファイバ（５１）を前記引出方向規制部（６２）に向けて押し付けるように構成される、
光コネクタ（２）。
［３］
上記［１］又は上記［２］に記載の光コネクタ（２）において、
前記ホルダ（８）は、
複数のホルダ構成片（８ａ）であって、当該複数の前記ホルダ構成片（８ａ）の各々が互いに独立した前記引出方向規制部（６２）を有する、複数のホルダ構成片（８ａ）を有する、
光コネクタ（２）。
【符号の説明】
【００４９】
２      第２光コネクタ（光コネクタ）
４      第２筐体（筐体、本体部）
５      ハウジング
７      フェルール
８      ホルダ
８ａ    ホルダ構成片
９      カバー（筐体、カバー部）
１０    導電体
５１    光ファイバ
６２    引出方向規制部
６２ａ  湾曲面
【図１】
2020134880.tif 000003
【図２】
2020134880.tif 000004
【図３】
2020134880.tif 000005
【図４】
2020134880.tif 000006
【図５】
2020134880.tif 000007
【図６】
2020134880.tif 000008
【図７】
2020134880.tif 000009